【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
直接的通信手段を有する第１の装置が、第２の装置の直接的通信手段との通信を契機に、出力内容を変更する装置連携制御システムであって、前記直接的通信手段の通信を契機に、第２の装置の出力手段から、第１の装置の出力内容と異なる出力内容が出力されることを特徴とする装置連携制御システム。
【請求項２】
前記第１の装置は、第１の装置に関する識別情報を、前記直接的通信手段を通じて第２の装置に送信し、第２の装置は、情報取得用の通信手段を通じて前記識別情報を送信し、前記直接的通信手段の通信を契機に出力する情報を、前記情報取得用の通信手段により取得することを特徴とする請求項１に記載の装置連携制御システム。
【請求項３】
前記第１の装置または第２の装置の一方は、前記直接的通信手段として非接触情報伝達媒体を有し、前記第１の装置または第２の装置の他方は、前記直接的通信手段として非接触情報伝達媒体の読み取り手段を有していることを特徴とする請求項１に記載の装置連携制御システム。
【請求項４】
前記直接的通信手段の通信を契機に第１の装置及び第２の装置のそれぞれから出力される出力内容が、前記第１の装置の機能及び第２の装置の機能に基づいて予め設定されていることを特徴とする請求項１に記載の装置連携制御システム。
【請求項５】
前記第２の装置は、ユーザ情報を保持し、前記直接的通信手段の通信を契機に、情報取得用の通信手段で情報を取得して、得られた情報の中から、出力する情報を、前記ユーザ情報に基づいて選択することを特徴とする請求項１に記載の装置連携制御システム。
【請求項６】
前記第２の装置は、前記情報取得用の通信手段を通じて前記第１の装置及び第２の装置のための情報を取得し、前記第１の装置から出力する情報及び第２の装置から出力する情報のそれぞれを、前記ユーザ情報に基づいて選択することを特徴とする請求項５に記載の装置連携制御システム。
【請求項７】
前記第２の装置は、前記直接的通信手段の通信を契機に出力する情報を、情報取得用の通信手段により情報サーバから取得することを特徴とする請求項１または６に記載の装置連携制御システム。
【請求項８】
前記第２の装置は、前記情報を前記第１の装置を介して前記情報サーバから取得することを特徴とする請求項７に記載の装置連携制御システム。
【請求項９】
中継機を介さず直接通信する直接的通信手段と、画像、文字、音声等を出力する出力手段とを有し、前記出力手段と前記直接的通信手段とを有する第２の装置と、前記直接的通信手段での通信の発生を契機に、前記第２の装置の前記出力手段から出力する内容と異なる出力内容を前記出力手段から出力することを特徴とする第１の装置。
【請求項１０】
第１の装置に関する識別情報を前記直接的通信手段を通じて前記第２の装置に送信し、前記第２の装置は、前記出力装置から出力する情報を供給する情報サーバへ情報取得用の通信手段を通じて前記識別情報を送信し、前記情報取得用の通信手段により前記情報サーバから情報を取得することを特徴とする請求項９に記載の第１の装置。
【請求項１１】
前記直接的通信手段として非接触情報伝達媒体または非接触情報伝達媒体の読み取り手段を有していることを特徴とする請求項９に記載の第１の装置。
【請求項１２】
前記情報取得用の通信手段を有し、前記直接的通信手段の通信を契機に前記第１の装置の前記出力手段から出力される出力内容を、前記情報取得用の通信手段により前記情報サーバから取得することを特徴とする請求項９から１１に記載の第１の装置。
【請求項１３】
前記直接的通信手段の通信を契機に前記第１の装置の前記出力手段から出力される出力内容が、前記第１の装置の機能に基づいて予め設定されていることを特徴とする請求項９から１２に記載の第１の装置。
【請求項１４】
前記直接的通信手段の通信を契機に前記第１の装置の前記出力手段から出力される出力内容、及び前記第２の装置の前記出力手段から出力される出力内容を、前記情報取得用の通信手段により前記情報サーバから取得し、前記第２の装置へ前記第２の装置の前記出力手段から出力される出力内容を前記直接的通信手段により伝達することを特徴とする請求項１２に記載の第１の装置。
【請求項１５】
前記直接的通信手段の通信を契機に前記第１の装置の前記出力手段から出力される出力内容、及び前記第２の装置の前記出力手段から出力される出力内容が、前記第１の装置の機能、及び前記第２の装置の機能に基づいて予め設定されていることを特徴とする請求項１４に記載の第１の装置。
【請求項１６】
前記直接的通信手段と前記出力手段とを有し、前記出力手段と前記直接的通信手段とを有する第１の装置と、前記直接的通信手段での通信の発生を契機に、前記第１の装置の前記出力手段から出力する内容と異なる出力内容を前記出力手段から出力することを特徴とする第２の装置。
【請求項１７】
前記直接的通信手段の通信を契機に前記出力手段から出力する内容を前記情報サーバから取得するための前記情報取得用の通信手段を有し、前記直接的通信手段を通じて前記第１の装置に関する前記識別情報を受信し、前記情報取得用の通信手段により前記情報サーバへ前記識別情報を送信し、前記情報サーバから前記情報取得用の通信手段により前記出力手段から出力する内容を取得することを特徴とする請求項１６に記載の第２の装置。
【請求項１８】
前記直接的通信手段として非接触情報伝達媒体または非接触情報伝達媒体の読み取り手段を有していることを特徴とする請求項１７に記載の第２の装置。
【請求項１９】
前記直接的通信手段の通信を契機に前記第２の装置の前記出力手段から出力される出力内容が、前記第２の装置の機能に基づいて予め設定されていることを特徴とする請求項１６から１８に記載の第２の装置。
【請求項２０】
前記直接的通信手段の通信を契機に前記第１の装置の前記出力手段から出力される出力内容、及び前記第２の装置の前記出力手段から出力される出力内容を、前記情報取得用の通信手段により前記情報サーバから取得し、前記第１の装置の前記出力手段から出力される出力内容を前記第１の装置へ前記直接的通信手段により伝達することを特徴とする請求項１７に記載の第２の装置。
【請求項２１】
前記直接的通信手段の通信を契機に前記第１の装置の前記出力手段から出力される出力内容、及び前記第２の装置の前記出力手段から出力される出力内容が、前記第１の装置の機能、及び前記第２の装置の機能に基づいて予め設定されていることを特徴とする請求項１７に記載の第２の装置。
【請求項２２】
ユーザ情報を保持し、前記直接的通信手段の通信を契機に、前記情報取得用の通信手段で前記情報サーバから取得した情報の中から前記出力手段により出力する出力内容を、前記ユーザ情報に基づいて選択することを特徴とする請求項１７に記載の第２の装置。
【請求項２３】
前記直接的通信手段の通信を契機に前記第１の装置の前記出力手段、及び前記第２の装置の前記出力手段から出力するための情報を前記情報取得用の通信手段を通じて前記情報サーバから取得し、前記第１の装置の前記出力手段及び前記第２の装置の前記出力手段から出力する出力内容のそれぞれを、前記ユーザ情報に基づいて選択し、選択した前記第１の装置の前記出力手段から出力される出力内容を前記第１の装置へ前記直接的通信手段により伝達することを特徴とする請求項２２に記載の第２の装置。
【請求項２４】
前記出力手段から出力する内容を保持し、提供する情報提供手段を設け、前記直接的通信手段の通信を契機に前記第１の装置の前記出力手段から出力される出力内容を前記情報提供手段から取得することを特徴とする請求項９に記載の第１の装置。
【請求項２５】
前記直接的通信手段の通信を契機に前記第１の装置の前記出力手段から出力される出力内容、及び前記第２の装置の前記出力手段から出力される出力内容を前記情報提供手段から取得し、前記第２の装置へ前記第２の装置の前記出力手段から出力される出力内容を前記直接的通信手段により伝達することを特徴とする請求項２４に記載の第１の装置。
【請求項２６】
前記情報取得用の通信手段を通じて前記情報提供手段が保持する前記出力手段が保持する出力内容を更新することを特徴とする請求項２５に記載の第１の装置。
【請求項２７】
前記出力手段から出力する内容を保持し、提供する情報提供手段を設け、前記直接的通信手段の通信を契機に前記第２の装置の前記出力手段から出力される出力内容を前記情報提供手段から取得することを特徴とする請求項１６に記載の第２の装置。
【請求項２８】
前記直接的通信手段の通信を契機に前記第１の装置の前記出力手段から出力される出力内容、及び前記第２の装置の前記出力手段から出力される出力内容を前記情報提供手段から取得し、前記第１の装置へ前記第１の装置の前記出力手段から出力される出力内容を前記直接的通信手段により伝達することを特徴とする請求項２７に記載の第２の装置。
【請求項２９】
前記情報取得用の通信手段を通じて前記情報提供手段が保持する前記出力手段が保持する出力内容を更新することを特徴とする請求項２８に記載の第２の装置。